(57)【要約】      （修正有） 【課題】センターレールを簡単な構成で、より一層強固に支えることができるスライドドア付き車両の後部ボディ構造を提供することを課題とする。【解決手段】  スライドドア付き車両の後部ボディ構造１５は、アウトサイドパネル１６の下端部をセンターレール２０の下側近傍で外側に折り曲げて第１下フランジ３１とし、第１下フランジ３１に倣わせて、ホイールアーチパネル２８の下端部を折り曲げて第２下フランジ３２とし、第２下フランジ３２を第１下フランジ３１に接合し、接合した第１、第２の下フランジ３１，３２の外側に、後輪１２の上部外面１２ａを覆うリヤフェンダーパネル２４を備え、リヤフェンダーパネル２４の上部を、第１、第２の下フランジ３１，３２を覆うアーチ部３３としたものである。【選択図】図２
2006213227.tif 000002
【特許請求の範囲】
【請求項１】
車両の外側部となるアウトサイドパネルを備え、このアウトサイドパネルの車体内側に後輪の上方を覆うホイールアーチパネルを備え、前記アウトサイドパネルに、スライドドアを開閉自在に支えるセンターレールを取り付けたスライドドア付き車両の後部ボディ構造において、
前記アウトサイドパネルの下端部を前記センターレールの下側近傍で外側に折り曲げて第１フランジとし、
この第１フランジに倣わせて、前記ホイールアーチパネルの下端部を折り曲げて第２フランジとし、
この第２フランジを第１フランジに接合し、
接合した第１、第２のフランジの外側に、後輪の上部外面を覆うリヤフェンダーパネルを備え、
リヤフェンダーパネルの上部を、第１、第２のフランジを覆うアーチ部としたことを特徴とするスライドドア付き車両の後部ボディ構造。
【発明の詳細な説明】
【技術分野】
【０００１】
本発明はスライドドア付き車両の後部ボディ構造に係り、特に、車両外側部となるアウトサイドパネルに、スライドドアを開閉自在に支えるセンターレールを備えたスライドドア付き車両の後部ボディ構造に関する。
【背景技術】
【０００２】
自動車の後部ボディ構造は、後輪近傍において、車両の外側部となるアウトサイドパネルを備え、このアウトサイドパネルの内側にクオータパネルが備えられている。
アウトサイドパネルは、後輪の上部外側にホイールアーチが湾曲状に形成され、このホイールアーチにおいて、第１フランジが車体内側に折り曲げられている。
さらに、第１フランジに沿って、クオータパネルの第２フランジが折り曲げられ、折り曲げられた第２フランジが第１フランジにスポット溶接で接合されている（例えば、特許文献１参照。）。
【特許文献１】特開平７−８１６２２号公報
【０００３】
この後部ボディ構造を、スライドドア付き車両に適用した例を次図に基づいて説明する。
図７は従来のスライドドア付き車両の後部ボディ構造を示す断面図である。
スライドドア付き車両の後部ボディ構造１００は、後輪１０１近傍において車両の外側部となるアウトサイドパネル１０２を備え、このアウトサイドパネル１０２の車体内側にクオータパネル１０３を備える。
【０００４】
アウトサイドパネル１０２は、後輪１０１の上部外側にリヤフェンダー１０４が設けられている。リヤフェンダー１０４は、下端１０４ａにおいて、第１下フランジ１０５が車体内側に折り曲げられている。
さらに、クオータパネル１０３の第２下フランジ１０６が第１下フランジ１０５に沿って折り曲げられ、第２下フランジ１０６が第１下フランジ１０５にスポット溶接で接合されている。
第１下フランジ１０５および第２下フランジ１０６で接合部１０７を構成する。
【０００５】
アウトサイドパネル１０２には、車体前後方向に延びる収納凹部１０８が形成されている。この収納凹部１０８の底面１０９にセンターレール１１０をボルト止めし、センターレール１１０をカバー１１１で覆う。
このセンターレール１１０で、スライドドア１１２を開閉自在に支える。
【発明の開示】
【発明が解決しようとする課題】
【０００６】
ところで、クオータパネル１０３と後輪１０１との間隔Ｄ１を確保するために、クオータパネル１０３をアウトサイドパネル１０２のリヤフェンダー１０４側に寄せる必要がある。
このため、クオータパネル１０３とリヤフェンダー１０４との間の間隔Ｄ２が狭くなる。
加えて、センターレール１１０は、第１、第２の下フランジ１０５，１０６を接合した接合部１０７から比較的離れた上方位置に設けられている。
【０００７】
このため、センターレール１１０を、より一層強固に支えるためには工夫が必要となる。
そこで、センターレール１１０を簡単な構成で、より一層強固に支えることができる技術の実用化が望まれていた。
【０００８】
本発明は、センターレールを簡単な構成で、より一層強固に支えることができるスライドドア付き車両の後部ボディ構造を提供することを課題とする。
【課題を解決するための手段】
【０００９】
請求項１に係る発明は、車両の外側部となるアウトサイドパネルを備え、このアウトサイドパネルの車体内側に後輪の上方を覆うホイールアーチパネルを備え、前記アウトサイドパネルに、スライドドアを開閉自在に支えるセンターレールを取り付けたスライドドア付き車両の後部ボディ構造において、前記アウトサイドパネルの下端部を前記センターレールの下側近傍で外側に折り曲げて第１フランジとし、この第１フランジに倣わせて、前記ホイールアーチパネルの下端部を折り曲げて第２フランジとし、この第２フランジを第１フランジに接合し、接合した第１、第２のフランジの外側に、後輪の上部外面を覆うリヤフェンダーパネルを備え、リヤフェンダーパネルの上部を、第１、第２のフランジを覆うアーチ部としたことを特徴とする。
【００１０】
アウトサイドパネルの第１フランジをセンターレールの下側近傍に設け、第１フランジに、ホイールアーチパネルの第２フランジを接合した。
センターレールの下側近傍で第１、第２のフランジを接合するという簡単な構成で、センターレールを取り付ける部位の剛性をより一層高めることができる。
これにより、センターレールをより一層強固に支えることができる。
【００１１】
さらに、第１、第２のフランジの外側にリヤフェンダーパネルを備え、リヤフェンダーパネルの上部をアーチ部とした。
そして、このアーチ部で第１、第２のフランジを覆うことで、第１、第２のフランジを車体の外側から見えないようにした。
これにより、第１、第２のフランジをアーチ部で隠して、車両の外観性を好適に確保することができる。
【００１２】
加えて、第１、第２のフランジの外側にリヤフェンダーパネルを備え、リヤフェンダーパネルで第１、第２のフランジを隠すことで、車両の外観性を従来と同様に確保することが可能になる。これにより、車両のデザインを変更する必要がない。
【００１３】
また、センターレールの下側近傍で第１、第２の下フランジを接合するだけでセンターレールをより一層強固に支えることが可能になるので、剛性を確保するために、補強部材を新たに追加する必要はない。
【発明の効果】
【００１４】
請求項１に係る発明では、センターレールの下側近傍で第１、第２のフランジを接合するだけの簡単な構成で、センターレールをより一層強固に支えることができるという利点がある。
【発明を実施するための最良の形態】
【００１５】
本発明を実施するための最良の形態を添付図に基づいて以下に説明する。
図１は本発明に係るスライドドア付き車両の後部ボディ構造を示す斜視図である。
スライドドア付き車両１０は、車両中央にスライドドア１１を開閉自在に備え、スライドドア１１の後方で、かつ後輪１２の上方に後部ボディ構造（すなわち、スライドドア付き車両の後部ボディ構造）１５を備える。
【００１６】
後部ボディ構造１５は、スライドドア付き車両１０の外側部となるアウトサイドパネル１６を備え、このアウトサイドパネル１６に、車体前後方向に延びる収納凹部１７を形成し、この収納凹部１７の底面１８に、スライドドア１１を開閉自在に支えるセンターレール２０を取り付け、センターレール２０を覆うためにカバー２２を取り付けたものである。
以下、後部ボディ構造１５の構成を図２において詳しく説明する。
【００１７】
図２は図１の２−２線断面図、図３は本発明に係るスライドドア付き車両の後部ボディ構造を示す分解図である。
後部ボディ構造１５は、アウトサイドパネル１６をアウターパネル（上サイドパネル）２３とリヤフェンダーパネル（下サイドパネル）２４との２部材に分割し、アウターパネル２３で、収納凹部１７のうちの一部の部位（上側凹み）２５を形成し、リヤフェンダーパネル２４で、収納凹部１７のうちの残りの部位（下側凹み）２６を形成し、この収納凹部１７にセンターレール２０を取り付けたものである。
【００１８】
また、スライドドア付き車両の後部ボディ構造１５は、アウターパネル２３の車体内側に、後輪１２の上方を覆うホイールアーチパネル２８を備え、アウターパネル２３の下端部をセンターレール２０の下側近傍で外側に折り曲げて第１下フランジ（第１フランジ）３１とし、第１下フランジ３１に倣わせて、ホイールアーチパネル２８の下端部を折り曲げて第２下フランジ（第２フランジ）３２とし、第２下フランジ３２を第１下フランジ３１に接合し、接合した第１、第２のフランジ３１，３２の外側に、後輪１２の上部外面１２ａを覆うリヤフェンダーパネル２４を備え、リヤフェンダーパネル２４の上部を、第１、第２のフランジ３１，３２を覆うアーチ部（下側壁面）３３としたものである。
【００１９】
アウターパネル２３は、その上端、すなわち第１上フランジ（図示せず）に、ホイールアーチパネル２８の上端、すなわち第２上フランジ（図示せず）をスポット溶接して窓枠を形成し、この窓枠にモール３６（図１参照）を介してクオータガラス３７（図１参照）を取り付け、下部に上側凹み２５を形成し、上側凹み２５の下端２５ａから第１下フランジ３１を外側に向けて下り勾配状に折り曲げたものである。
【００２０】
上側凹み２５は、アウターパネル２３の上縁角部３８で上側壁面４１を車体内側に下り勾配状に折り曲げ、上側壁面４１の下端４１ａで第１底面４２を鉛直方向に折り曲げ、第１底面４２に第１取付孔４２ａを形成し、第１底面４２の裏面に、第１取付孔４２ａと同軸上にナット５７を溶接したものである。
【００２１】
リヤフェンダーパネル２４は、上フェンダーパネル４４と下フェンダーパネル４５とからなる。
上フェンダーパネル４４は、第１底面４２に、車体外側から当接して接合した第２底面４６を備え、第２底面４６に第２取付孔４６ａを形成し、この第２取付孔４６ａを第１取付孔４２ａと同軸上に配置し、第２底面４６の上端に、車体外側に向けて折り曲げた折返片４７を備え、第２底面４６の下端に、車体外側に向けて折り曲げた下側傾斜面４８を備える。
【００２２】
下フェンダーパネル４５は、下側傾斜面４８の上面に当接して接合した上側傾斜面４９を備え、上側傾斜面４９の下端、すなわち下縁角部５１で鉛直方向に折り曲げたフェンダー部５２を備え、フェンダー部５２の下端５２ａで車体内側に折り曲げた折返し部５３を備える。
【００２３】
ここで、下側傾斜面４８と上側傾斜面４９とをスポット溶接で接合することで、下側傾斜面４８と上側傾斜面４９で下側壁面３３を構成する。
この下側壁面３３は、前述したアーチ部３３と同じ部位であり、以下、下側壁面３３として説明する。
【００２４】
さらに、下側傾斜面４８および上側傾斜面４９を接合することで、上フェンダーパネル４４と下フェンダーパネル４５とが一体化され、それぞれのパネル４４，４５でリヤフェンダーパネル２４を構成する。
【００２５】
すなわち、リヤフェンダーパネル２４は、下側傾斜面４８および上側傾斜面４９を接合して、上下のフェンダーパネル４４，４５とを一体化することで、第２底面４６の下端に、車体外側に向けて折り曲げた下側壁面３３を備え、第２底面４６および下側壁面３３で下側凹み２６を備える。
【００２６】
この下側凹み２６の第２底面４６を、上側凹み２５の第１底面４２に接合することで収納凹部１７が形成される。なお、第１、第２の底面４２，４６を接合する際に、第１、第２の取付孔４２ａ，４６ａが同軸上になるように位置決めする。
収納凹部１７は、第１、第２の底面４２，４６で底面１８を構成する。底面１８にセンターレール２０をボルト５６…（…は複数個を示す）およびナット５７…で取り付ける。
【００２７】
アウターパネル２３の車体内側にホイールアーチパネル２８を備える。
ホイールアーチパネル２８は、アウターパネルの第１上フランジ（図示せず）に第２上フランジ（図示せず）がスポット溶接で接合され、第１下フランジ３１に第２下フランジ３２がスポット溶接で接合されることで閉断面に形成された部材である。
このホイールアーチパネル２３は、後輪１２の上方を覆う部位５８を第２下フランジ３２に隣接して備える。
【００２８】
スライドドア付き車両１０は、車両中央にスライドドア１１を備える。
スライドドア１１は、収納凹部１７側へ延びる支持ブラケット６１を備え、この支持ブラケット６１の先端部６１ａに第１、第２のローラ６２，６３を回転自在に備え、第１、第２のローラ６２，６３がセンターレール２０に沿って移動自在に取り付けられている。
センターレール２０でスライドドア１１を車体前後方向に開閉自在に支える。
【００２９】
なお、支持ブラケット６１は、収納凹部１７の下縁角部５１と、カバー２２（図１も参照）の下端２２ａとの間の下側開口６６を貫通して収納凹部１７内に延びる部材である。
【００３０】
センターレール２０の上方には、カバー支持部６８が上側壁面４１にボルト止めされている。このカバー支持部６８にカバー２２が取り付けられている。
このカバー２２は、収納凹部１７の開口１７ａにおいて、アウターパネル２３に対して略面一に配置されている。
カバー２２は、センターレール２０およびカバー支持部６８を覆い、かつ収納凹部１７の下側開口６６を開口した状態に配置されている。
【００３１】
次に、スライドドア付き車両の後部ボディ構造１０の特徴を図４〜図５に基づいて説明する。
図４は本発明に係るスライドドア付き車両の後部ボディ構造の剛性をより一層高めることができる理由を説明する図である。
アウターパネル２３の第１下フランジ３１をセンターレール２０の下側近傍に設け、第１下フランジ３１に、ホイールアーチパネル２８の第２下フランジ３２を接合した。
センターレール２０の下側近傍で第１、第２の下フランジ３１，３２を接合することで、接合した第１、第２の下フランジ３１，３２を、収納凹部１７の底面１８に近づけることが可能になる。よって、底面１８の剛性をより一層高めることができる。
【００３２】
このように、センターレール２０の下側近傍で第１、第２の下フランジ３１，３２を接合するという簡単な構成で、センターレール２０を取り付ける部位、すなわち底面１８の剛性をより一層高めることができる。
これにより、センターレール２０を底面１８でより一層強固に支えることができる。
【００３３】
さらに、第１、第２の下フランジ３１，３２の外側にリヤフェンダーパネル２４を備え、リヤフェンダーパネル２４の上部をアーチ部３３、すなわち下側壁面３３とした。
そして、下側壁面３３で第１、第２の下フランジ３１，３２を覆うことで、第１、第２の下フランジ３１，３２を車両１０の外側から見えないようにした。
これにより、第１、第２の下フランジ３１，３２を下側壁面３３で隠して、車両１０の外観性を好適に確保することができる。
【００３４】
加えて、第１、第２の下フランジ３１，３２の外側にリヤフェンダーパネル２４を備え、リヤフェンダーパネル２４で第１、第２の下フランジ３１，３２を隠すことで、車両１０の外観性を従来と同様に確保することが可能になる。
これにより、車両１０のデザインを変更する必要がない。
【００３５】
さらに加えて、センターレール２０の下側近傍で第１、第２の下フランジ３１，３２を接合するだけでセンターレール２０をより一層強固に支えることが可能になり、剛性を確保するために、補強部材を新たに追加する必要はない。
【００３６】
図５は本発明に係るスライドドア付き車両の後部ボディ構造の上縁角部および下縁角部をシャープな形状にすることができる理由を説明する図である。
アウトサイドパネル１６をアウターパネル２３およびリヤフェンダーパネル２４に２分割した。
アウターパネル２３で上側凹み２５を形成し、リヤフェンダーパネル２４で下側凹み２６を形成した。そして、上下側の凹み２５，２６とを組み合わせて収納凹部１７を形成した。
【００３７】
このように、収納凹部１７を、アウターパネル２３およびリヤフェンダーパネル２４の２部材に分担させて形成することで、アウターパネル２３およびリヤフェンダーパネル２４をそれぞれの素板材から成形する際に、各素板材の引延ばし量を小さく抑えることができる。
【００３８】
よって、それぞれの素板材の引延ばし量に余裕ができ、余裕分の引き延ばし量をその他の部位に振り分けることができる。
これにより、アウターパネル２３の上側凹み２５以外の部位において、形状を決める際の自由度を高めることが可能になる。
同様に、リヤフェンダーパネル２４の下側凹み２６以外の部位において、形状を決める際の自由度を高めることが可能になる。
【００３９】
余裕分の引き延ばし量を有効に利用することで、収納凹部１７の上縁角部３８および下縁角部５１をそれぞれ小さな半径で形成して、シャープな形状にすることが可能になり、車両１０の外観性を高めることができる。
【００４０】
加えて、上縁角部３８および下縁角部５１をシャープな形状にすることで、上縁角部３８および下縁角部５１をそれぞれ収納凹部１７側に引き寄せることができる。
上縁角部３８および下縁角部５１をシャープな形状、すなわち、小さな半径で形成することで、上縁角部３８および下縁角部５１が収納凹部１７側に引き寄せられる理由については図６で詳しく説明する。
このように、上縁角部３８および下縁角部５１をそれぞれ収納凹部１７側に引き寄せることで、収納凹部１７の開口１７ａの開口幅Ｗ１を小さく抑えることができる。
【００４１】
なお、本実施の形態においては、アウトサイドパネル１６を、アウターパネル２３およびリヤフェンダーパネル２４に２分割した上に、リヤフェンダーパネル２４をも上下のフェンダーパネル４４，４５（図３参照）に２分割した。
リヤフェンダーパネル２４を上下のフェンダーパネル４４，４５に２分割することで、リヤフェンダーパネル２４の下側凹み２６以外の部位において、形状を決める際の自由度をより一層高めることができる。
【００４２】
さらに、上述したように、下縁角部５１をシャープな形状にすることで、下縁角部５１を収納凹部１７側（すなわち、上側）に引き寄せることができる。
これにより、収納凹部１７の下縁角部５１と、カバー２２の下端２２ａとの間の下側開口６６の開口幅Ｗ２を小さくすることができる。
【００４３】
加えて、上縁角部３８をシャープな形状にすることで、上縁角部３８を収納凹部１７側（すなわち、下側）に引き寄せることができる。
これにより、カバー２２の上端２２ｂと上縁角部３８との隙間６９の隙間幅Ｗ３を狭めることができる。
このように、下側開口６６の開口幅Ｗ２を小さくするとともに、隙間６９の隙間幅Ｗ３を狭めることで、外観性を高めることができる。
【００４４】
図６（ａ），（ｂ）は本発明に係るスライドドア付き車両の後部ボディ構造の下縁角部の形状について説明する図である。（ａ）は図７の従来技術を比較例として示し、（ｂ）は実施の形態を実施例として示す。
（ａ）において、下縁角部１１５の半径Ｒ１が大きくなると、下縁角部１１５は緩やかな曲線になり、下縁角部１１５の長さＬ１を短く抑えることができる。
よって、下縁角部１１５を成形する際に、素板材の引延ばし量を小さく抑えることができる。
【００４５】
一方、下縁角部１１５の半径Ｒ１が大きくなると、下縁角部１１５の頂部１１５ａが収納凹部１０８から離れる方向（すなわち、下方向）に位置し、収納凹部１０８の開口１０８ａの開口幅ｗ１が比較的大きくなる。
【００４６】
（ｂ）において、下縁角部５１の半径Ｒ２を小さくすると、鋭角な曲線になり、下縁角部５１は外側に大きく突出する。これにより、（ａ）に示す下縁角部１１５の長さＬ１に相当する長さは、Ｌ２と長くなる。
よって、下縁角部５１を成形する際に、素板材の引延ばし量を比較的大きく必要とする。
【００４７】
一方、下縁角部５１の半径Ｒ２が小さくなると、下縁角部５１の頂部５１ａが収納凹部１７に引き寄せられた方向（すなわち、上方向）に位置し、収納凹部１７の開口１７ａの開口幅Ｗ１を小さくできる。
図６においては、下縁角部５１について説明したが、上縁角部３８（図５参照）についても同様である。
【００４８】
なお、前記実施の形態では、リヤフェンダーパネル２４を上下のフェンダーパネル４４，４５に２分割した例について説明したが、これに限らないで、リヤフェンダーパネル２４を一枚の素板材から一体成形しても同様の効果を得ることができる。
【００４９】
また、前記実施の形態では、収納凹部１７にカバー２２を備えた車両１０を例示したが、これに限らないで、収納凹部１７にカバー２２を備えていない車両１０に適用することも可能である。
この場合でも、収納凹部１７の上縁角部３８および下縁角部５１をシャープな形状にすることで、収納凹部１７の開口（開口幅）１７を小さく抑えて、外見性を高めることができる。
【産業上の利用可能性】
【００５０】
本発明の後部ボディ構造は、車両外側部となるアウトサイドパネルに、スライドドアを開閉自在に支えるセンターレールを備えたスライドドア付き車両への適用に好適である。
【図面の簡単な説明】
【００５１】
【図１】本発明に係るスライドドア付き車両の後部ボディ構造を示す斜視図である。
【図２】図１の２−２線断面図である。
【図３】本発明に係るスライドドア付き車両の後部ボディ構造を示す分解図である。
【図４】本発明に係るスライドドア付き車両の後部ボディ構造の剛性をより一層高めることができる理由を説明する図である。
【図５】本発明に係るスライドドア付き車両の後部ボディ構造の上縁角部および下縁角部をシャープな形状にすることができる理由を説明する図である。
【図６】本発明に係るスライドドア付き車両の後部ボディ構造の下縁角部の形状について説明する図である。
【図７】従来のスライドドア付き車両の後部ボディ構造を示す断面図である。
【符号の説明】
【００５２】
１０…スライドドア付き車両（車両）、１１…スライドドア、１２…後輪、１２ａ…上部外面、１５…後部ボディ構造（スライドドア付き車両の後部ボディ構造）、１６…アウトサイドパネル、２０…センターレール、２４…リヤフェンダーパネル、２８…ホイールアーチパネル、３１…第１下フランジ（第１フランジ）、３２…第２下フランジ（第２フランジ）、３３…下側壁面（アーチ部）。
【図１】
2006213227.tif 000003
【図２】
2006213227.tif 000004
【図３】
2006213227.tif 000005
【図４】
2006213227.tif 000006
【図５】
2006213227.tif 000007
【図６】
2006213227.tif 000008
【図７】
2006213227.tif 000009